(57)【要約】【課題】安全かつ容易に洗濯物を干すための吊り金具を提供する。【解決手段】取り付け穴を有する略コ字形の回動板を設け、回動板両側に挿通孔を穿設し、該挿通孔を介して吊下体を回動可能に吊下保持させたことを特徴とする。【選択図】      図９
2004232852.tif 000002
【特許請求の範囲】
【請求項１】
取り付け穴を有する略コ字形の回動板を設け、回動板両側に挿通孔を穿設し、該挿通孔を介して吊下体を回動可能に吊下保持させたことを特徴とする回動型吊り金具。
【発明の詳細な説明】
【０００１】
【発明の属する技術分野】
この発明は、室内天井に取り付けて使用し、洗濯物を干す場合に有効なる新規な吊り金具に関する。
【０００２】
【従来の技術】
従来より、洗濯物を干すために天井に取り付ける金具としては、ヒートンや洋灯吊り（ヒートンは金属性環体にネジ部が付加されたもの、洋灯吊りはこの環体の一部を切除したもの）が多用されており、いずれも単一物品であり、本発明に示すように、複数の部品を組み合わせて回動式とした吊り金具は現在のところ見当たらない。
【０００３】
【発明が解決しようとする課題】
従来、洗濯物を干す場合、屋外では物干し竿、屋内ではつっぱりポールなどが多用されている。しかし、洗濯物が多いときなどは干すスペースが足らず、前記のように天井に金具を取り付けて、この金具に洗濯物干し用の用具を吊り下げて干す場合がある。
このような場合に従来から用いられている方法は、ヒートンや洋灯吊りの金具を天井面にねじ込んで、この金具に物干し用具を吊下し、この物干し用具に洗濯物を掛けて干すものである。だが洗濯物を干しているとき、ときどきこの洗濯物を回動させたりするので天井にねじ込まれている金具がゆるんで抜け落ちることがあり、不便なことが多かった。また、深くねじ込むと金具の鍔部で天井面を傷つけたりすることがあった。
本発明は、以上のような従来からの物干し方法に関わる課題を解決するために発明されたもので、金具を複数部品からなる構造とし、ねじ込み部に対し吊下部を回動可能に設けることにより、洗濯物が落下する恐れを回避できる新規な吊り金具を提供することを目的として開発されたものである。
【０００４】
【課題を解決するための手段】
課題を解決する手段として本発明は、回動板に対し吊下体を回動可能に吊下保持させてその主要部を構成した。
すなわち、取り付け穴を有する略コ字形の回動板を設け、回動板両側に挿通孔を穿設し、該挿通孔を介して吊下体を回動可能に吊下保持させる。
本発明は以上の構成よりなる回動型吊り金具である。
【０００５】
【実施例】
以下、本発明の実施例について説明する。
図１〜図３は本発明の第１実施例を示すものである。
図において、１は回動板で、金属性板体をコ字形に折曲し、その側面に挿通孔２と取り付け穴３を穿設して形成される。４は吊下体で、同じく金属性板体を略コ字形に折曲してその端部を円形状とし、挿通孔５を穿設したものである。
６は軸としての金属ネジで、このネジ部の外径に対し挿通孔２および５の内径は大である。
以上の各部品は図１に示すように回動板内に吊下体を、各々の挿通孔を一致させて位置させ、これらの挿通孔内に金属ネジを挿入保持させる。このとき、回動板の一方の挿通孔には雌ねじが刻設され、金属ネジがこの雌ねじに螺着される。
以上が本発明の第１実施例である。
本例を使用するには、図９に示すように、取り付け穴３にワッシャ１０を介してタッピングビス１１を差し込み、天井面に螺着させる。このとき、ビスを締め付けすぎて天井面を傷つけることの無いよう留意して作業を行う。なお、ビス外径に対し取り付け穴内径は一回り大きく設定する。
【０００６】
この状態において、天井から本発明の吊り金具が吊下保持されている。
また、ワッシャを介しての取付のため天井面に対して回動板は自在に回動可能であり、この回動板に対して金属ネジが螺合し、ネジ部外径に対して大きな内径の挿通孔を有する吊下体が軸支されているので、ネジに対して吊下体は一定方向一定範囲内にて回動可能である。
洗濯物を干すときは、適当な用具に洗濯物を掛け渡し、その用具の上端をこの吊下体に引っかけて吊り下げる。洗濯物が回動しても、吊下体および回動板は回動自在なため、タッピングビスにはトルクがかからず、従来方式のようにビスがゆるんで抜け落ちる恐れがない。また、乾燥効率を高めるために、洗濯物を自在に回動させて使用することができる。
【０００７】
図４〜図６は本発明の第２実施例を示すものである。
本例は、金属線をＵ字形に折曲するとともに、その両端部を逆Ｕ字形に折曲して吊下体７とし、回動板の挿通孔に係止させたものである。この金属線外径に対し、挿通孔内径は大きいので、回動板に対して吊下体は一定方向に回動可能である。
前例では軸としての金属ネジを介して吊下体を保持させており、天井にドライバーを用いてねじ込む場合に金属ネジが邪魔してねじ込みにくいことがあるが、本例は軸を用いないのでこのねじ込みが容易に行える利点がある。なお、使用効果は前例と同じである。
本発明の概要については既述したが、本発明は天井に対し回動可能に板体を取り付けるところにその特徴がある。従来のヒートンや洋灯吊りではこの回動機能を有さないため、洗濯物および用具が回動するとヒートン等の金具も回動するため、天井からこの金具が脱落することがあったが、本発明は取り付け面である天井に対し回動可能のため、天井にねじ込んだ部分の回動が無く、安全かつ快適に干すことができるのである。
また、回動板に対し吊下体も回動可能であり、洗濯物干し用具をこの吊下体に掛けるときのショックも緩和されて回動板に伝わるので、より長期な使用が可能である。なお、第２実施例のように軸を用いない方式とすれば、天井へのタッピングビスのねじ込みも容易である。以上の例のようにタッピングビスを用いることにより、木ねじに比べて取り付け強度が大となり、また、天井面が高い場合は市販のＳ字金具を使用すればより容易に洗濯物を掛けることができる。
以上のごとく、本発明によって安全かつ快適に能率よく洗濯物の乾燥を行うことのできる物品を得ることができる。
【０００８】
【発明の効果】
本発明によれば、回動板に対し吊下体を回動可能に設け、この回動板をワッシャを介して天井面に取り付けるため、天井面に対し回動板は回動自在となり、吊下保持した洗濯物は回動自在となるために、従来方式にありがちだった乾燥中の洗濯物の脱落落下を防止し、洗濯物を回動させて最適な乾燥位置を得ることのできる、有用なる物品を提供することができる。
【図面の簡単な説明】
【図１】本発明の第１実施例の平面図
【図２】本発明の第１実施例の正面図
【図３】本発明の第１実施例の右側面図
【図４】本発明の第２実施例の平面図
【図５】本発明の第２実施例の正面図
【図６】本発明の第２実施例の右側面図
【図７】従来例の取り付け状態説明図
【図８】本発明第１実施例の取り付け状態説明図
【図９】本発明第２実施例の取り付け状態説明図
【図１０】本発明第２実施例を用いた使用状態参考図
【符号の説明】
１  回動板
２  挿通孔
３  取り付け穴
４  吊下体
５  挿通孔
６  金属ネジ
７  吊下体
１０ワッシャ
１１タッピングビス
１２洋灯吊り
１３物干し用具
【図１】
2004232852.tif 000003
【図２】
2004232852.tif 000004
【図３】
2004232852.tif 000005
【図４】
2004232852.tif 000006
【図５】
2004232852.tif 000007
【図６】
2004232852.tif 000008
【図７】
2004232852.tif 000009
【図８】
2004232852.tif 000010
【図９】
2004232852.tif 000011
【図１０】
2004232852.tif 000012